(57)【要約】【課題】  製造コストの増大を抑制することが可能な遊技機を提供する。 【解決手段】  ガイドレ−ル５０の一部である本体枠側構成部５１が、払出装置１９から払い出される遊技球を窓枠１２の前面側に形成された前面通路へ案内するための貫通通路５５における本体枠２４の貫通部分を構成しているため、払出装置１９と前面通路３０とを連結する貫通通路５５における本体枠２４の貫通部分を構成する通路を別途製造する必要がなくなるため、遊技機の製造コストの増大を抑制することが可能となる。【選択図】図３
2008207015.tif 000002
【特許請求の範囲】
【請求項１】
遊技盤が設置される本体枠と、同本体枠の背面側に配置され、遊技に関する各種の動作
を制御する制御基板が設置される機構板と、同機構板の背面側に設置され、上部に備えら
れた外部装置から遊技球が供給される供給部と、上記機構板の背面側に設置され、遊技球
の払い出しを行う払出装置と、上記本体枠の前面側に同本体枠に対して開閉可能に取り付
けられる窓枠と、同窓枠の前面側に設置され、上記払出装置から払い出された遊技球を皿
貯留部に供給するための前面通路とを具備する遊技機において、
上記遊技盤に取り付けられる遊技部材の一部が、上記払出装置と上記前面通路とを連結
する貫通通路における上記本体枠の貫通部分を構成しつつ、
当該貫通部分における遊技球の通過面が、上記払出装置側から上記前面通路側に向かっ
て下方に傾斜していることを特徴とする遊技機。
【発明の詳細な説明】
【技術分野】
【０００１】
本発明は、パチンコ遊技機等の遊技機に関する。
【背景技術】
【０００２】
従来、この種の遊技機として、外部装置から供給される遊技球を貯留するタンク、およ
び、遊技球の払出装置が設けられたものが知られている。（例えば、特許文献１参照）。
【０００３】
かかる構成によれば、タンクに貯留された遊技球のうち指定された数量だけを、払出装
置により払い出すことが可能であった。払い出された遊技球は前面側に案内されて、遊技
に使用される。
【特許文献１】特開２００４−０７３７１９号公報
【発明の開示】
【発明が解決しようとする課題】
【０００４】
ところで、近時、払出装置から払い出された遊技球を上皿に供給するための通路の一部
または全部を、遊技機の前面側に設けるように構成された遊技機が提案されている。この
ような遊技機によれば、遊技機の背面側のスペ−スを広く確保することが可能となる。
【０００５】
このような遊技機の前面側に設けられた通路（前面通路）を設置する場合、必然的に、
遊技機の背面側の払出装置から上記前面通路まで遊技機を貫通する通路を設ける必要があ
る。この遊技球を貫通する通路は、遊技球が滞留することなく上記前面通路まで滑落する
ことができるように、傾斜を付けて設置する必要がある。
【０００６】
しかしながら、遊技機の窓枠や本体枠への打抜加工によりこのような傾斜した孔を設け
ることは困難であり、そのため、遊技球の通過面が傾斜した遊技機を貫通する通路を別途
製造して設置する必要があり、このことが、遊技機の製造にかかるコストの増大の原因と
なってしまうという問題があった。
【０００７】
本発明は、上記課題にかんがみてなされたものであり、製造コストの増大を抑制するこ
とが可能な遊技機の提供を目的とする。
【課題を解決するための手段】
【０００８】
上記目的を達成するため、請求項1 にかかる発明では、遊技盤が設置される本体枠と、
同本体枠の背面側に配置され、遊技に関する各種の動作を制御する制御基板が設置される
機構板と、同機構板の背面側に設置され、上部に備えられた外部装置から遊技球が供給さ
れる供給部と、上記機構板の背面側に設置され、遊技球の払い出しを行う払出装置と、上
記本体枠の前面側に同本体枠に対して開閉可能に取り付けられる窓枠と、同窓枠の前面側
に設置され、上記払出装置から払い出された遊技球を皿貯留部に供給するための前面通路
とを具備する遊技機において、上記遊技盤に取り付けられる遊技部材の一部が、上記払出
装置と上記前面通路とを連結する貫通通路における上記本体枠の貫通部分を構成し、当該
貫通部分における遊技球の通過面が、上記払出装置側から上記前面通路側に向かって下方
に傾斜している構成としてある。
【０００９】
上記のように構成した請求項１にかかる発明において、遊技機は、遊技盤が設置される
本体枠と、同本体枠の背面側に配置され、遊技に関する各種の動作を制御する制御基板が
設置される機構板と、同機構板の背面側に設置され、上部に備えられた外部装置から遊技
球が供給される供給部と、上記機構板の背面側に設置され、遊技球の払い出しを行う払出
装置と、上記本体枠の前面側に同本体枠に対して開閉可能に取り付けられる窓枠と、同窓
枠の前面側に設置され、上記払出装置から払い出された遊技球を皿貯留部に供給するため
の前面通路とを具備している。この前面通路は、機構板背面側の払出装置から窓枠の前面
側に導出された遊技球を皿貯留部に供給するために、同窓枠の前面側に形成されているも
のであり、この前面通路が設けられることにより、払出装置からの遊技球の通路を遊技機
の背面側に設ける必要がなく、同背面側のスペ−スを広く確保することが可能となるので
ある。
【００１０】
そして、請求項１の発明にかかる遊技機は、遊技盤に取り付けられる遊技部材の一部が
、上記払出装置と上記前面通路とを連結する貫通通路における上記本体枠の貫通部分を構
成し、同貫通部分における遊技球の通過面が、上記払出装置側から上記前面通路側に向か
って下方に傾斜したものとなっている。すなわち、機構板の背面側に設けられている払出
装置と、窓枠の前面側に設けられている前面通路とを連結し、同払出装置から払い出され
る遊技球を、遊技機の筐体を幅方向に貫通して同前面通路へと導出するための貫通通路に
おける上記本体枠の貫通部分が、同本体枠に設置された遊技盤に取り付けられる遊技部材
と一体的に形成されており、且つ、上記貫通部分における遊技球の通過面が、遊技球が滑
落することができるように、前面側に向かって下方に傾斜するように形成されているので
ある。このように、遊技部材を、上記貫通通路の一部を構成するように一体形成しておく
ことにより、払出装置と前面通路とを連結する通路の本体枠部分を別途製造する必要がな
くなるため、遊技機の製造コストの増大を抑制することが可能となる。
なお、上記遊技盤に取り付けられる上記遊技部材は、例えば、遊技機が第一種のパチンコ
遊技機（所謂、セブン機）、第二種のパチンコ遊技機（所謂、羽物）、または、第三種の
パチンコ機（所謂、権利物）である場合には、発射装置から発射された遊技球を遊技盤面
上部に案内するためのガイドレ−ルや、入賞口、始動口、風車、大入賞口（所謂、アタッ
カ）等が該当する。
【００１１】
手段１
手段１にかかる発明は、上記請求項１に記載した発明において、
上記遊技部材は、上記遊技盤面に設置され、発射装置から発射された遊技球を、同遊技
盤面の上部に案内するガイドレ−ルであり、
上記ガイドレ−ルの一部が、上記払出装置と上記前面通路とを連結する貫通通路におけ
る上記本体枠の貫通部分を構成したものとなっている。
【００１２】
すなわち、遊技盤面に設けられるガイドレ−ルの一部が、払出装置と前面通路とを連結
する貫通通路における本体枠の貫通部分を構成している。このガイドレ−ルは、遊技者が
前方から視認可能な遊技領域の略周縁部に沿って設けられるものであるため、このガイド
レ−ルから遊技領域の外側に向かって貫通通路を一体形成することにより、遊技領域外に
遊技球の通路を形成することが可能となる。
【００１３】
手段２
手段２にかかる発明は、上記請求項１に記載した発明において、
上記遊技部材は、上記遊技盤面に突出した設けられる液晶表示器の上側に設置される装
飾部材であり、
上記装飾部材の一部が、上記払出装置と上記前面通路とを連結する貫通通路における上
記本体枠の貫通部分を構成したものとなっている。
【００１４】
すなわち、液晶表示器の上側に設置され、種々のキャラクタを模した可動式の人形体や
、電飾が施される装飾部材を、上記貫通通路の本体枠の貫通部分に兼用することが可能と
なる。
【００１５】
手段３
手段３にかかる発明は、上記手段２に記載した発明において、
上記装飾部材には、所定の駆動手段にて駆動される可動部材、および／または、電飾部
材が設置されているとともに、
上記装飾部材における上記本体枠の貫通部分には、遊技球の通過を検知する遊技球検知
センサが設置されており、
上記遊技球検知センサによる遊技球の検知に連動して、上記可動部材および／または上
記電飾部材の駆動を行う構成としてある。
【００１６】
すなわち、払出装置から遊技機の前面側に向かってくる遊技球に合わせて、装飾部材に
よる演出を行うように構成されているため、遊技球の払い出しと、遊技盤面での演出が渾
然一体となった斬新な演出とすることができ、遊技の興趣が向上するとともに、遊技球が
払い出されたときに、その達成感をより強く享受することが可能となる。
【００１７】
手段４
手段４にかかる発明は、上記請求項１、または、上記手段１〜手段３のいずれかに記載
した発明において、
上記遊技部材における上記本体枠の貫通部分は、上記本体枠および同本体枠に設置され
た遊技盤に所定の間隔をあけて遊嵌されている構成としてある。
【００１８】
すなわち、貫通通路を構成する上記遊技部材の一部が、上記本体枠および遊技盤に遊嵌
されているため、例えば、木製の遊技盤が反ってしまった場合に、遊技盤への嵌合部分が
破損してしまうことを防止することが可能となる。
【００１９】
手段５
手段５にかかる発明は、上記請求項１、上記手段１〜手段４のいずれかに記載した発明
において、上記前面通路における上記貫通通路の少なくとも手前側部分が透明部材により
構成されており、
上記払出装置から払い出されて上記貫通通路内を前面側に進行する遊技球を視認可能で
ある構成としてある。
【００２０】
すなわち、払出装置から払い出された遊技球が前面側に向かって進行する様子を、上記
前面通路の透明部分を介して視認することができるため、進行する遊技球による装飾効果
を奏することが可能となるとともに、遊技球が払い出されたことに対する達成感を強く享
受することが可能となる。
【発明の効果】
【００２１】
以上説明したように、請求項１にかかる発明によれば、遊技機の製造コストの増大を抑
制することが可能となる。
【００２２】
手段１にかかる発明によれば、遊技領域外に遊技球の通路を形成することが可能となる
。
【００２３】
手段２にかかる発明によれば、装飾部材を、上記貫通通路の本体枠の貫通部分に兼用す
ることが可能となる。
【００２４】
手段３にかかる発明によれば、遊技球の払い出しと、遊技盤面での演出が渾然一体とな
った斬新な演出とすることができ、遊技の興趣が向上するとともに、遊技球が払い出され
たときに、その達成感をより強く享受することが可能となる。
【００２５】
手段４にかかる発明によれば、木製の遊技盤が反ってしまった場合に、遊技盤への嵌合
部分が破損してしまうことを防止することが可能となる。
【００２６】
手段５にかかる発明によれば、進行する遊技球による装飾効果を奏することが可能とな
るとともに、遊技球が払い出されたことに対する達成感を強く享受することが可能となる
。
【発明を実施するための最良の形態】
【００２７】
ここでは、下記の順序に従って本発明の実施形態について説明する。
（１）第一の実施形態：
（２）第二の実施形態： 
（３）各種変形例：
（４）まとめ：
（１）第一の実施形態：
図１は、本発明の第一の実施形態にかかる遊技機（パチンコ遊技機）を斜めから見て示
している。なお、本実施形態においては、遊技盤上に各種の役物が設置されるパチンコ遊
技機を本発明に適用する場合について説明するが、本発明の遊技機はこれに限定されるも
のではなく、遊技領域において回転するドラムを具備し、所定の操作に応じて回転するド
ラムの停止を行って遊技を進行させる所謂パチロットであってもよい。
【００２８】
同図において、パチンコ遊技機１０は、木材で矩形枠状に形成された外枠１１を有して
おり、同外枠１１をホ−ル等に固定することにより正立した状態で設置される。外枠１１
には、合成樹脂等で形成された矩形枠状の本体枠２４が嵌め込まれている。また、外枠１
１の前面側には、窓枠１２が本体枠２４に対して回動可能に枢支されている。この本体枠
２４は、窓枠１２が閉じた状態で、窓枠１２の背面側が略密着している状態となっている
。窓枠１２の略中央部には、透明保持枠としてのガラス枠１３が枢支されている。ガラス
枠１３は、略中央部に円形の窓穴１３ｄを有しており、この窓穴１３ｄから透明板として
のガラス１３ａが露出するように保持されている。
【００２９】
カラス１３ａは透視可能であり、ガラス１３ａの内側を視認することが可能となってい
る。そして、前面側からガラス１３ａを透視することにより、本体枠２４に保持された遊
技盤１６の盤面に設けられた各種の役物（入賞口、始動口、大入賞口、液晶表示器等）の
様子を視認することが可能となっている。なお、遊技盤１６におけるガラス１３ａを介し
て視認可能な領域が遊技領域である。発射装置１８から発射された遊技球は、この遊技領
域内を落下する。遊技者は、発射装置１８から発射された遊技球が遊技領域内を落下する
様子や、同遊技球が各種の入賞口に入る様子や、液晶表示器にて表示される識別情報のカ
可変表示や各種の演出画像を見ながら遊技を楽しむことができる。
【００３０】
ガラス枠１３の下方には、上皿１４が前面側に向かって突設されており、さらにその下
方には、下皿１５が前面側に向かって突設されている。なお、この上皿１４および下皿１
５は、上記皿貯留部を構成するものである。上皿１４および下皿１５は、所定の深みを有
する皿状に形成されているため、遊技球を貯留しておくことができる。
【００３１】
なお、本発明の遊技機は、この実施形態のように上皿および下皿の両方を具備している
必要はなく、例えば、上皿のみを具備していてもよい。
【００３２】
ガラス枠１３の前面側の左端部には、パチンコ遊技機１０の背面側に設置された後述す
る払出装置１９（図示せず）から払い出された遊技球を上皿１４に供給するための前面通
路３０が設置されている。この前面通路３０は、ガラス枠１３の左端上部から上皿１４の
直上まで垂下するとともに、そこから上皿１４における遊技球を貯留するための窪み部ま
で直角に折れ曲がるように設けられている。上述した払出装置１９から払い出された遊技
球は、パチンコ遊技機１０の筐体を前後に貫通する貫通通路（図示せず）内を通過してガ
ラス枠１３の前面まで導出された後、前面通路３０内を落下して上皿１４に供給される。
この前面通路３０は、全部が透明部材で構成されており、内部を通過する遊技球を視認可
能であるとともに、パチンコ遊技機１０の筐体内を、前面通路３０に向かって滑落してく
る遊技球をも視認可能となっている。このようにすることにより、前面通路３０の内部を
通過する遊技球による装飾効果を奏するとともに、遊技球が払い出されたことに対する達
成感を強く享受することが可能となる。また、払出装置１９から払い出された遊技球の通
路（払出通路）を前面側に設けることにより、本体部の背面側のスペ−スを広く確保する
ことが可能となり、同スペ−スを有効利用することができる。
【００３３】
本実施形態では、この前面通路３０が窓枠１２に取り付けられている場合について説明
したが、この前面通路３０の設置場所としては、窓枠１２の前面側であれば特に限定され
るものではない。窓枠１２の前面側に設置されるのであれば、本体部の背面側のスペ−ス
を広く確保することができるという効果を享受することができるからである。また、前面
通路３０は、払出装置１９からの遊技球を上皿１４に供給するように形成されているが、
本発明においては、下皿１５に遊技球を供給するように前面通路３０が形成されていても
よく、上皿１４および下皿１５の両方に遊技球を供給するように形成されていてもよい。
さらに、図１では、払出装置から上皿１４または下皿１５に遊技球を供給するための払出
通路の全部が前面通路３０となっているが、本発明においては、払出通路の一部のみを前
面通路３０とするようにしてもよい。さらにまた、図１では、前面通路３０の全部が透明
部材により構成されている場合について説明したが、一部のみが透明になるようにしても
よく、例えば、パチンコ遊技機１０の筐体内を貫通する貫通通路内を滑落してくる遊技球
のみを視認可能なように、前面通路３０における同貫通通路の前面側のみを透明にしても
よい。
【００３４】
図２は、第一の実施形態にかかるパチンコ遊技機を背面側から見て示している。同図に
おいて、略矩形状に形成された外枠１１の内側に本体枠２４が嵌め込まれており、本体枠
２４と外枠１１とは回動可能とされている。また、図２には示していないが、本体枠２４
の内側に形成された開口には、矩形板状の木製の遊技盤１６が嵌め込まれている。
【００３５】
一方、本体枠２４の背面側（図２においては紙面手前側）には、本体枠２４に嵌め込ま
れる遊技盤１６を背面側から覆うように機構板１７が設けられている。この機構板１７は
、本体枠２４に対して回動可能に枢支されている。機構板１７に対して本体枠２４が閉じ
られているときには、本体枠２４は、機構板１７の前面側に略密接した状態となる。
【００３６】
機構板１７の背面側には、パチンコ遊技機１０における各種の動作を制御する各種の基
板が取り付けられるとともに、機構板１７の背面側の上部には、遊技球を貯留しておく上
記供給部としてのタンク１４も取り付けられている。タンク１４に貯留された遊技球は、
下方に流下させられ、後述する球抜き装置２０、払出装置１９を通過した後、パチンコ遊
技機１０の筐体を前後に貫通する貫通通路を通過し、その後、図１に示した前面通路３０
内を落下して上皿１４に供給される。上皿１４に供給された遊技球は、順次、遊技球の発
射装置１８（図１参照）に案内される。タンク１４から発射装置１８に案内されるまでの
遊技球の経路に、払出装置１９が備えられることにより、遊技球の計数を行いつつ、意図
した数だけ遊技球を上皿１４に供給することが可能となっている。
【００３７】
また、払出装置１９の上流には、タンク１４とタンクレ−ル１４ａを介して接続される
球抜き装置２０が備えられている。球抜き装置２０は、タンク１４からの遊技球の流路に
おける払出装置１９の手前側に設置され、タンク１４からの遊技球を払出装置１９に導出
する経路を形成するか、または、パチンコ遊技機１０の外部へ導出する経路を形成するか
について、切換レバ−２５の操作により切り換えることが可能となっている。すなわち、
この球抜き装置２０により、タンク１４からの遊技球を払出装置１９またはパチンコ遊技
機１０の外部に選択的に導くことが可能となるのである。このようにすることにより、払
出装置１９等が故障した場合等に、切換レバ−２５を操作して遊技球をパチンコ遊技機１
０の外部へ導出させることにより、払出装置１９等の修理点検作業の邪魔となる遊技球を
外部に排出することができる。
【００３８】
図３は、図１、図２に示したパチンコ遊技機において、本体枠に対して窓枠を回動させ
た状態を斜めから見て示している。同図において、窓枠１２が本体枠２４に対して開いた
状態となっており、本体枠２４に遊技盤１６が嵌め込まれている様子が示されている。遊
技盤１６の盤面には、液晶表示器４５が設けられており、この液晶表示器４５には、入賞
態様に応じて、複数の識別情報の可変表示を行ったり、大当たり時の演出画像等が表示さ
れる。また、液晶表示器４５の直上には、装飾部材４０が設けられている。この装飾部材
４０には、種々の絵柄が施されるとともに、ランプ等が設置され、このランプが点灯また
は点滅することにより遊技盤１６の盤面の装飾効果を奏するものである。また、遊技盤１
６の盤面には、遊技球の入賞口や始動口（所謂スタ−トチャッカ）等の各種の役物が設置
される。
【００３９】
また、遊技盤１６の盤面には、発射装置１８から発射された遊技球を、遊技盤１６の盤
面の上方にまで案内するガイドレ−ル５０が設置されている。このガイドレ−ル５０は、
発射装置１８から、遊技盤１６の遊技領域における左側上部まで延設しているとともに、
そこから略円形の遊技領域の周縁部に沿うように延設している。これにより、発射装置１
８から発射された遊技球は、ガイドレ−ル５０が設置されている部分（遊技領域の周縁部
）に沿って移動することとなる。
【００４０】
ガイドレ−ル５０は、樹脂製であり、上述した遊技盤１６の遊技領域内に配置されるレ
−ル部５２と、レ−ル部５２の左側上部から、左上側に向かって延びた本体枠側構成部５
１とが一体成形されたものとなっている。なお、ガイドレ−ル５０の構成部材としては、
図３に示したような形状に一体的に形成することが可能であれば樹脂に限定されず、例え
ば、金属製であってもよい。本体枠側構成部５１は、略円筒形状を有しているとともに、
遊技球の直径よりも大きい内径を有しており、内部を遊技球が通過可能である。この本体
枠側構成部５１は、図２に示した払出装置１９からの遊技球を前面通路３０に案内するた
めに、パチンコ遊技機１０の筐体を前後に貫通して設けられた貫通通路５５（図示せず）
の一部を構成するものである。具体的には、本体枠側構成部５１は、貫通通路５５におけ
る本体枠２４の貫通部分を構成しており、本体枠２４および本体枠２４に嵌め込まれた遊
技盤を貫通して設けられる。
【００４１】
図４は、パチンコ遊技機１０における貫通通路５５が取り付けられている部分を示す縦
断面図である。同図において、窓枠１２が本体枠２４に対して、本体枠２４が機構板１７
に対してそれぞれ閉じた状態となっており、窓枠１２の背面側に本体枠２４が略密着し、
本体枠２４の背面側に機構板１７が略密着した状態となっている。また、同図には、本体
枠２４に遊技盤１６が嵌め込まれて固定された状態が示されている。なお、同図において
、遊技盤１６の盤面に設けられる液晶表示器や各種の役物については図示していない。
【００４２】
機構板１７の背面側に設置された払出装置１９から払い出された遊技球は、図中に示す
ように、機構板１７、本体枠２４、本体枠２４に嵌め込まれた遊技盤１６および窓枠１２
を貫通して形成される貫通通路５５内を通過し、窓枠１２の前面側に突出して形成された
前面通路３０に導出される。
【００４３】
貫通通路５５は、機構板１７に形成された機構板側構成部５２と、図３に示したガイド
レ−ル５０の一部を構成し、本体枠２４を貫通するように設けられた本体枠側構成部５１
と、窓枠１２に形成された窓枠側構成部５３とからなる。図４において、機構板側構成部
５２と窓枠側構成部５３とは、それぞれ機構板１７と窓枠１２とに遊技球が通過可能な貫
通孔を形成したものであるが、本体枠側構成部５１と同様に、遊技球が通過可能な通路が
形成された部材を嵌め込むことにより構成してもよい。
【００４４】
本体枠側構成部５１は、図３に示したようにガイドレ−ル５０の一部を構成し、本体枠
２４と本体枠２４に嵌め込まれた遊技盤１６とを貫通して設けられており、その内側を遊
技球が通過可能となっている。本体枠側構成部５１における遊技球の通過面５１ａは、機
構板１７側から窓枠２３側に向かって（図中、左方向に向かって）下方に傾斜して形成さ
れており、遊技球を滑落させることができるようになっている。したがって、払出装置１
９から払い出される遊技球が貫通通路５５内を通過中に、遊技球が滞留してしまうことが
ない。また、窓枠側構成部５３における遊技球の通過面５３ａは、本体枠側構成部５１の
通過面５１ａよりも下側に形成されており、これにより本体枠側構成部５１と窓枠側構成
部５３とが段差となっているため、遊技球が引っ掛かってしまうことがなく、遊技球をス
ム−ズに前面通路３０に導出することが可能となる。なお、本体枠側構成部５１は、図４
に示すように本体枠２４および遊技盤１６に対して所定間隔があくように遊嵌されており
、木製の遊技盤１６が反ったりしたときに、本体枠側構成部５１の位置がずれたりしない
ようになっている。
【００４５】
以上、説明したように、第一の実施形態にかかるパチンコ遊技機１０によれば、ガイド
レ−ル５０の一部である本体枠側構成部５１が、払出装置１９から払い出される遊技球を
窓枠１２の前面側に形成された前面通路へ案内するための貫通通路５５における本体枠２
４の貫通部分を構成しているため、払出装置１９と前面通路３０とを連結する貫通通路５
５における本体枠２４の貫通部分を構成する通路を別途製造する必要がなくなるため、遊
技機の製造コストの増大を抑制することが可能となる。
【００４６】
（２）第二の実施形態：
上述した第一の実施形態においては、遊技盤に設置される遊技部材が発射装置から発射
された遊技球を案内するガイドレ−ルであり、このガイドレ−ルの一部が貫通通路の一部
を構成している場合について説明したが、以下に説明する第二の実施形態においては、上
記遊技部材が、液晶表示器の上側に設置される装飾部材であり、この装飾部材が上記貫通
通路の一部を構成している場合について説明する。
【００４７】
図５は、第二の実施形態にかかるパチンコ遊技機において、本体枠に対して窓枠を回動
させた状態を斜めから見て示している。同図において、窓枠１１２が本体枠１２４に対し
て開いた状態となっており、本体枠１２４に遊技盤１１６が嵌め込まれている様子が示さ
れている。遊技盤１６の盤面には、液晶表示器１４５が設けられており、液晶表示器１４
５の直上には、装飾部材１４０が設けられている。この装飾部材１４０には、種々の絵柄
が施されるとともに後述するランプ１４２や、モ−タ等の駆動装置により駆動される人形
体１４３等が設置されている。
【００４８】
装飾部材１４０は、上述したランプ１４２や人形体１４３が取り付けられ、絵柄が施さ
れた装飾部１４６と、装飾部１４６の左側上部から、左上側に向かって延びた本体枠側構
成部１４１と、装飾部１４６および本体枠側構成部１４１とを連結する連結部１４４とが
、一体成形されたものとなっている。装飾部材１４０における上記ランプ１４２や人形体
１４３以外の部分は、樹脂等により一体成形により製造することが可能である。本体枠側
構成部１４１は、略円筒形状を有しているとともに、遊技球の直径よりも大きい内径を有
しており、内部を遊技球が通過可能である。この本体枠側構成部１４１は、本体枠１２４
を貫通するように設置され、第一の実施形態にて示した本体枠側構成部５１と同様、パチ
ンコ遊技機の筐体を前後に貫通して設けられた貫通通路における本体枠１２４の貫通部分
を構成するものである。なお、図５において、装飾部１４６と本体枠側構成部１４１との
連結部１４４は、ガイドレ−ル１５０を跨ぐようにガイドレ−ル１５０の前面側に設けら
れているため、発射装置１１８により発射されてガイドレ−ル１５０に案内される遊技球
が、この連結部１４４に衝突することはない。
【００４９】
図６は、図５に示した装飾部材を示す正面図であり、図７は、図６におけるＡ−Ａ線断
面図である。図６において、装飾部材１４０における装飾部１４６の下側中央部分には、
魚を模した人形体１４３が設けられている。この人形体１４３は、駆動装置としてのモ−
タ（図示せず）と、モ−タの回転運動を人形体１４３の左右の揺動に変換する機構（図示
せず）により駆動される。また、人形体１４３の左右の両側には、ランプ１４２が設けら
れている。
【００５０】
図７に示すように、装飾部材１４０における本体枠側構成部１４１は、遊技球が通過可
能な内径を有しているとともに、遊技球の通過面１４１ａは、本体枠側構成部１４１が本
体枠１２４に取り付けられたときに、前面側に向かって下方に傾斜しており、遊技球が滑
落することができるようになっている。遊技球の通過面１４１ａの中程には、遊技球を検
知する遊技球検知センサ１４１ｂが嵌め込まれるように設けられている。第二の実施形態
にかかるパチンコ遊技機では、払出装置１１５により払い出された遊技球が、本体枠側構
成部１４１の内部を通過中にこの遊技球検知センサ１４１ｂにより検知されたことを受け
て、装飾部１４６に設けられた人形体１４３およびランプ１４２による演出動作が行われ
るのである。具体的には、例えば、遊技球検知センサ１４１ｂにより遊技球が検知される
毎に、人形体１４３が接続された駆動装置（モ−タ等）により駆動されて図６中、白抜き
の矢印にて示すように左右に揺動するとともに、２つのランプ１４２が点灯することによ
り演出動作が行われる。なお、遊技球検知センサ１４１ｂには、種々のセンサを適用する
ことが可能であり、例えば、赤外線センサや、近接式センサや、接触式センサ等を用いる
ことが可能である。
【００５１】
以上説明したように、第二の実施形態にかかるパチンコ遊技機においては、遊技部材と
しての装飾部材１４０の一部が、払出装置と前面通路とを連結する貫通通路における本体
枠の貫通部分である本体枠側構成部１４１を構成しており、更に、この本体枠側構成部１
４１に設けられた遊技球検知センサ１４１ｂにより遊技球が検知されたことに連動して装
飾部材１４０の装飾部１４６において演出動作が行われるように構成されているため、遊
技球の払い出しと、遊技盤面での演出が渾然一体となった斬新な演出とすることができ、
遊技の興趣が飛躍的に向上するとともに、遊技球が払い出されたときに、その達成感をよ
り強く享受することが可能となる。
【００５２】
（３）各種変形例：
上述した第一、第二の実施形態においては、遊技部材（ガイドレ−ル５０および装飾部
材１４０）の一部を構成する本体枠側構成部（本体枠側構成部５１、１４１）が、本体枠
の貫通部分のみを構成している場合について説明したが、本発明においては、少なくとも
本体枠の貫通部分のみを構成していればよく、上記本体枠側構成部が、本体枠の前面側の
窓枠、および／または、本体枠の背面側の機構板を貫通するように設けられていてよい。
例えば、上述した図４において、本体枠側構成部５１が、窓枠１２および機構板１７をも
貫通するように設けられていてもよい。
【００５３】
（４）まとめ：
以上説明したように本発明によれば、ガイドレ−ル５０の一部である本体枠側構成部５
１が、払出装置１９から払い出される遊技球を窓枠１２の前面側に形成された前面通路へ
案内するための貫通通路５５における本体枠２４の貫通部分を構成しているため、払出装
置１９と前面通路３０とを連結する貫通通路５５における本体枠２４の貫通部分を構成す
る通路を別途製造する必要がなくなるため、遊技機の製造コストの増大を抑制することが
可能となる。
【図面の簡単な説明】
【００５４】
【図１】第一の実施形態にかかるパチンコ遊技機の斜視図である。
【図２】第一の実施形態にかかるパチンコ遊技機の背面図である。
【図３】図１、図２に示したパチンコ遊技機における窓枠を開放状態としたときの様子を示す斜視図である。
【図４】図１〜図３に示したパチンコ遊技機における貫通通路が取り付けられている部分の縦断面図である。
【図５】第二の実施形態にかかるパチンコ遊技機における窓枠を開放状態としたときの様子を示す斜視図である。
【図６】図５に示した装飾部材を示す正面図である。
【図７】図６のＡ−Ａ線断面図である。
【符号の説明】
【００５５】
１０…パチンコ遊技機
１１…外枠
１２…窓枠
１３…ガラス枠
１３ａ…ガラス
１４…上皿
１５…下皿
１７…機構板
１８…発射装置
１４…タンク
１４ａ…タンクレ−ル
１５…払出装置
２０…球抜き装置
２４…本体枠
２５…切換えレバ−
３０…前面通路
４０、１４０…装飾部材
４５、１４５…液晶表示器
５０…ガイドレ−ル
５１…本体枠側構成部
５１ａ…通過面
５２…レ−ル部
５５…貫通通路
５３…窓枠側構成部
１４１…本体枠側構成部
１４２…ランプ
１４３…人形体
１４６…装飾部
【図１】
2008207015.tif 000003
【図２】
2008207015.tif 000004
【図３】
2008207015.tif 000005
【図４】
2008207015.tif 000006
【図５】
2008207015.tif 000007
【図６】
2008207015.tif 000008
【図７】
2008207015.tif 000009